(57)【特許請求の範囲】
【請求項１】
外扉の裏面に配設される金銭処理装置の側面を全周に亘って囲むように当該外扉の裏面に立設された防盗板を備え、
前記金銭処理装置の側面方向からの防盗行為を防止するように構成してあって、
前記金銭処理装置に固定板を設ける一方、板金製の前記防盗板を外方に折曲げて形成したつば部を前記外扉の裏面に溶接固定するとともに、前記防盗板の内面に座板を設け、前記金銭処理装置の前記固定板を当該防盗板の座板にネジ止めすることを特徴とする自動販売機の防盗構造。
【請求項２】
金銭処理装置は、ビルバリデータ、コインメックのうちのいずれか一方または双方としたことを特徴とする請求項１に記載の自動販売機の防盗構造。
【発明の詳細な説明】
【０００１】
【発明の属する技術分野】
この発明は、自動販売機の防盗構造に関し、さらに詳しくは、金銭処理装置の側面方向からの防盗行為を簡易な構造によって効果的に防止する自動販売機の防盗構造に関する。
【０００２】
【従来の技術】
図３は、従来における自動販売機の内部構成を示す概略斜視図であり、ビルバリデータの配設状態を示すものである。また、図４は、ビルバリデータを示す斜視図であり、図５は、従来におけるビルバリデータの取付状態を示す分解斜視図である。
【０００３】
まず、この発明の実施対象となる自動販売機の全体構成について図３に基づいて説明する。自動販売機は、商品を収納保存し必要に応じてこれを搬出する商品収納ラック２０を有した本体ケース２１と、この本体ケース２１に対して開閉自在に設けられた外扉１と充填扉２２とを備えている。そして、外扉１の裏面には、中扉２３が開閉自在に設けられ、中扉クランプ２４によって外扉１にロックされるようになっている。
【０００４】
また、外扉１の裏面には、挿入された紙幣を識別し収納するビルバリデータ７、硬貨を識別し収納するコインメック２５、硬貨回収用のキャッシュボックス２６等が設けられている。
【０００５】
このビルバリデータ７は、図４に示すように、挿入された紙幣を識別する識別部７ａと、識別された紙幣を収納するスタッカー部７ｂとを本体部に回動自在に備えて構成されており、この識別部７ａを回動させて持ち上げ、スタッカー部７ｂを回動させて手前に引き出すことによって収納された紙幣を回収できるようになっている。
【０００６】
なお、図示を省略するが、外扉１の前面には、中扉２３内に形成された商品パネルの商品を表示する電照板が設けられているとともに、商品選択ボタン、表示器、紙幣挿入口、硬貨投入口、硬貨返却レバー、硬貨返却口、商品取り出し口、外扉ロック等が設けられている。
【０００７】
つぎに、上述したビルバリデータ７の外扉１への固定構造について図５に基づいて説明する。外扉１の裏面１ａであって外扉１の前面と連通する開口部１ｂの近傍には、ネジ穴１６を有する板金加工された座板１４，１５が配設されている。そして、ビルバリデータ７は、同図に示すように、ネジ穴１０を有する固定板８，９をも備えており、その紙幣挿入部を上記開口部１ｂに挿通させ、この固定板８，９を上記座板１４，１５にネジ１１によって固定されている。
【０００８】
【発明が解決しようとする課題】
しかしながら、ビルバリデータ７が外扉１の裏面１ａにおいて露出しているので、外扉１の前面に形成された上記電照板等を当該前面側からバール等で破壊し、さらに中扉クランプ２４によってロックされている中扉２３をこじ開けて、ビルバリデータ７を側面方向から破壊し、そこから紙幣を盗むといった行為には、比較的無防備であるという問題点があった。
【０００９】
また、これは、同様の手段によって固定されているコインメック２５に対しても、共通する問題点となっていた。
【００１０】
この発明は、上記に鑑みてなされたものであって、金銭処理装置の側面方向からの盗難行為を簡易な構造によって効果的に防止する自動販売機の防盗構造を提供することを目的とする。
【００１１】
【課題を解決するための手段】
上述の目的を達成するために、この発明の請求項１にかかる自動販売機の防盗構造は、外扉の裏面に配設される金銭処理装置の側面を全周に亘って囲むように当該外扉の裏面に立設された防盗板を備え、前記金銭処理装置の側面方向からの防盗行為を防止するように構成してあって、前記金銭処理装置に固定板を設ける一方、板金製の前記防盗板を外方に折曲げて形成したつば部を前記外扉の裏面に溶接固定するとともに、前記防盗板の内面に座板を設け、前記金銭処理装置の前記固定板を当該防盗板の座板にネジ止めすることを特徴とする。
【００１２】
したがって、外扉の前面に形成された電照板等を当該前面側からバール等で破壊し、さらに外扉の背面側にロックされている中扉をこじ開けたとしても、金銭処理装置の全側面は防盗板によって囲まれているので、上記バール等の進入を阻止でき、当該金銭処理装置から金銭を盗み出す行為を簡易な構成によって効果的に阻止できる。
【００１３】
また、この発明にかかる自動販売機の防盗構造は、板金製の防盗板のつば部を外扉の裏面に溶接固定するとともに、金銭処理装置の固定板を当該防盗板の座板にネジ止めしたものである。したがって、防盗板を板金加工によって容易に製造できるほか、当該防盗板の固定箇所の板厚が薄く、ネジ止めに適さない場合にも当該防盗板を強固に固定できるとともに、前記金銭処理装置を当該防盗板に容易に一体固定できる。また、金銭処理装置の交換等のメンテナンス時には、当該ネジを取り外すことによって容易に対処できる。
【００１４】
また、この発明の請求項２にかかる自動販売機の防盗構造は、金銭処理装置は、ビルバリデータ、コインメックのうちのいずれか一方または双方としたものである。したがって、自動販売機に備えられた金銭処理装置の種類および数にかかわらず、包括的に防盗行為を防止できる。
【００１５】
【発明の実施の形態】
以下、この発明にかかる自動販売機の防盗構造の実施の形態につき図面を参照しつつ詳細に説明する。図１は、この発明の実施の形態にかかる自動販売機の防盗構造を示す分解斜視図であり、図２は、自動販売機の防盗構造を示す組立斜視図である。なお、既に説明した部材と同一の部材には、同一符号を付して重複説明を省略する。
【００１６】
図１に示すように、鉄製の防盗板２は、外扉１の裏面１ａに配設されるビルバリデータ７の側面を全周に亘って囲むように、板金加工によって枠状に形成され、外方に折曲形成したつば部３を当該裏面１ａに溶接することにより立設したものである。また、この防盗板２は、ビルバリデータ７の紙幣回収やメンテナンス時等に、識別部７ａとスタッカー部７ｂの開閉を妨げないように設けられている。
【００１７】
また、防盗板２は、図２に示すように、ビルバリデータ７の厚みよりも立設高さが若干高めになるように、かつ、対向する充填扉２２との間にバール等を差し込めないような高さに設けられている。
【００１８】
また、この防盗板２の内側面には、ビルバリデータ７の固定板８，９をネジ１１によって固定するための座板４，５を突設してある。この座板４，５には、固定板８，９のネジ穴１０に対応するネジ穴６が設けられている。
【００１９】
このように防盗板２を設けたことによって、外扉１の前面に形成された電照板等（図示せず）を当該前面側からバール等で破壊し、さらに外扉１の背面側にロックされている中扉２３をこじ開けた場合であっても、ビルバリデータ７の全側面は防盗板２によって囲まれ、かつ、背面近傍には充填扉２２が存在しているので、上記側面からのバール等の進入を阻止でき、当該ビルバリデータ７のスタッカー部７ｂをこじ開けるなどして紙幣を盗み出す行為を効果的に阻止する。
【００２０】
なお、ビルバリデータ７の交換等のメンテナンス時にあっては、ネジ１１を取り外し、ビルバリデータ７を座板４，５から取り外すことによって容易に対処できる。
【００２１】
以上のように、この実施の形態にかかる自動販売機の防盗構造によれば、ビルバリデータ７の側面方向からの盗難行為を簡易な構造によって効果的に防止できる。
【００２２】
また、板金製の防盗板２のつば部３を外扉１の裏面１ａに溶接固定するとともに、ビルバリデータ７の固定板８，９を防盗板２の座板４，５にネジ止めしたので、防盗板２を板金加工によって容易に製造できるほか、防盗板２の固定箇所の板厚が薄くネジ止めに適さない場合にも防盗板２を強固に固定できるとともに、ビルバリデータ７を防盗板２に容易に一体固定できる。
【００２３】
また、ビルバリデータ７の交換等のメンテナンス時には、ネジ１１を外し、ビルバリデータ７を座板４，５から取り外すことによって容易に対処できる。
【００２４】
なお、上記実施の形態においては、金銭処理装置として、紙幣を扱うビルバリデータ７を例にして説明したが、これに限定されず、硬貨を扱うコインメック２５に適用してもよく、両者に適用すれば、さらなる防盗効果を期待できる。
【００２５】
また、防盗板２を外扉１の裏面１ａに溶接固定するものとして説明したが、これに限定されず、当該防盗板２の固定箇所における外扉１の板厚等が確保できれば、ネジ止め固定してもよく、上記と同様の効果を期待できる。
【００２６】
さらに、このように防盗板をネジ止め固定可能に形成することで、既設の自動販売機に対しても、そのロケーション先の現地で簡単に追加装備できるという効果を期待できる。
【００２７】
また、板金製の防盗板２を例にして説明したが、これに限定されず、所定の強度が得られれば、強化プラスチック等、その他の材質のものであってもよい。
【００２８】
【発明の効果】
以上説明したように、この発明にかかる自動販売機の防盗構造（請求項１）によれば、外扉の裏面に配設される金銭処理装置の側面を全周に亘って囲むように当該外扉の裏面に立設された防盗板と、前記金銭処理装置に設けられた固定板を固定するために前記防盗板の内面に設けられた座板とを備え、前記金銭処理装置の側面方向からの防盗行為を防止するようにしたので、前記外扉の前面に形成された電照板等を当該前面側からバール等で破壊し、さらに当該外扉の背面側にロックされている中扉をこじ開けたとしても、前記金銭処理装置の全側面は前記防盗板によって囲まれているので、上記バール等の進入を阻止でき、当該金銭処理装置から金銭を盗み出す行為を簡易な構成によって効果的に阻止できる。
【００２９】
また、この発明にかかる自動販売機の防盗構造によれば、板金製の防盗板のつば部を外扉の裏面に溶接固定するとともに、金銭処理装置の固定板を当該防盗板の座板にネジ止めしたので、当該防盗板を板金加工によって容易に製造できるほか、当該防盗板の固定箇所の板厚が薄く、ネジ止めに適さない場合にも当該防盗板を強固に固定できるとともに、前記金銭処理装置を当該防盗板に容易に一体固定でき、また、前記金銭処理装置の交換等のメンテナンス時には、当該ネジを外すことによって容易に対処できる。
【００３０】
また、この発明にかかる自動販売機の防盗構造（請求項２）によれば、金銭処理装置は、ビルバリデータ、コインメックのうちのいずれか一方または双方としたので、自動販売機に備えられた金銭処理装置の種類および数にかかわらず、包括的に防盗行為を防止できる。
【図面の簡単な説明】
【図１】この発明の実施の形態にかかる自動販売機の防盗構造を示す分解斜視図である。
【図２】自動販売機の防盗構造を示す組立斜視図である。
【図３】従来における自動販売機の内部構成を示す概略斜視図である。
【図４】ビルバリデータを示す斜視図である。
【図５】従来におけるビルバリデータの取付状態を示す分解斜視図である。
【符号の説明】
１  外扉
１ａ  裏面
２  防盗板
３  つば部
４、５  座板
７  ビルバリデータ
８、９  固定板
１１  ネジ
２５  コインメック
【図１】
0003899747.tif 000002
【図２】
0003899747.tif 000003
【図３】
0003899747.tif 000004
【図４】
0003899747.tif 000005
【図５】
0003899747.tif 000006